(57)【要約】【課題】簡単に動かすことができ、しかも室内に安らぎの空間を与えることのできる壁構造体を提供する。【解決手段】壁構造体は、室内の床面上に置かれて、直交する第１および第２の壁面を形成するものであって、第１の壁面を形成する平板状の第１の壁部材１０と、第２の壁面を形成し、この第２の壁面の奥に物品を収納する空間を有する第２の壁部材２０とを備える。第１の壁面には、自然物を表わす絵または写真１１が貼られている。第２の壁部材２０は、自然の環境を演出するものを作り出すユニット２１〜２６を収納している。【選択図】図４
2008101422.tif 000002
【特許請求の範囲】
【請求項１】
室内の床面上に置かれて、直交する第１および第２の壁面を形成する壁構造体であって、
前記第１の壁面を形成する平板状の第１の壁部材と、
前記第２の壁面を形成し、この第２の壁面の奥に物品を収納する空間を有する第２の壁部材とを備える、壁構造体。
【請求項２】
前記第１の壁面と前記第２の壁面とを滑らかな湾曲面で連結するコーナー壁面を形成する湾曲平板状のコーナー壁部材をさらに備える、請求項１に記載の壁構造体。
【請求項３】
前記第１の壁部材と前記コーナー壁部材とは、一体的な平板状部材で形成されている、請求項２に記載の壁構造体。
【請求項４】
前記第１の壁面および前記コーナー壁面には、自然物を表わす絵または写真が貼られている、請求項２または３に記載の壁構造体。
【請求項５】
前記第２の壁部材は、自然の環境を演出するものを作り出すユニットを収納している、請求項１〜４のいずれかに記載の壁構造体。
【請求項６】
前記第１および第２の壁面によって形成されるコーナー空間の上部を覆う覆い部材をさらに備える、請求項１〜５のいずれかに記載の壁構造体。
【請求項７】
前記覆い部材は、前記第１または第２の壁部材に、高さ調節可能に支持されている、請求項６に記載の壁構造体。
【発明の詳細な説明】
【技術分野】
【０００１】
この発明は、室内に安らぎの空間を与えることのできる壁構造体に関するものである。
【背景技術】
【０００２】
家屋の室内の雰囲気を変える手法として、部屋の壁面の色や模様を変えたり、室内に設置する家具等を変えたりすることがある。しかしながら、このような手法は、大掛かりであり、しかも特定の部屋だけに限定されてしまう。
【０００３】
室内の雰囲気として好ましいのは、人に安らぎを与えることのできる空間を提供できるようにすることである。
【発明の開示】
【発明が解決しようとする課題】
【０００４】
この発明の目的は、簡単に動かすことができ、しかも室内に安らぎの空間を与えることのできる壁構造体を提供することである。
【課題を解決するための手段】
【０００５】
この発明に従った壁構造体は、室内の床面上に置かれて、直交する第１および第２の壁面を形成するものであって、第１の壁部材と、第２の壁部材とを備える。第１の壁部材は、第１の壁面を形成する平板状の部材である。第２の壁部材は、第２の壁面を形成し、この第２の壁面の奥に物品を収納する空間を有する。
【０００６】
上記の壁構造体は、室内の床面上に置かれるものであるので、簡単に移動させることができる。従って、安らぎの空間を必要とする部屋に持運んで使用することができる。第１の壁面に、例えば心を穏やかにする自然物を表わす写真や絵を貼れば、第１および第２の壁面によって形成されるコーナー空間は、人に安らぎを与える空間となる。
【０００７】
好ましくは、壁構造体は、第１の壁面と第２の壁面とを滑らかな湾曲面で連結するコーナー壁面を形成する湾曲平板状のコーナー壁部材をさらに備える。自然物を表わす写真や絵を第１壁面およびコーナー壁面を含む広い範囲で貼れば、より立体的な自然環境空間が形成されるようになる。一つの好ましい実施形態では、第１の壁部材とコーナー壁部材とは、一体的な平板状部材で形成されている。
【０００８】
好ましい実施形態では、第２の壁部材は、自然の環境を演出するものを作り出すユニットを収納している。そのようなユニットの例として、そよ風を送り出すユニット、香りを出すユニット、水の流れる音を出すユニット、星空を投光するユニット等を挙げることができる。このような自然環境演出ユニットと、自然物を表わす写真または絵とによって、第１および第２壁面によって形成されるコーナー空間は、より効果的に、人に安らぎを与える環境を作り出す。
【０００９】
好ましい実施形態では、壁構造体は、第１および第２の壁面によって形成されるコーナー空間の上部を覆う覆い部材をさらに備える。覆い部材は、好ましくは、第１の壁部材または第２の壁部材に、高さ調節可能に支持されている。覆い部材を備えることにより、コーナー空間の明るさを適度に調節することができる。また、第２の壁部材が星空投光ユニットを備えるものであるならば、覆い部材に星空を投影することができる。
【発明を実施するための最良の形態】
【００１０】
図１〜図６は、この発明の一実施形態に係る壁構造体を示し、図７は、この発明の他の実施形態に係る壁構造体を示している。
【００１１】
図１、図２および図６を参照して、この発明の一実施形態の構成を説明する。
【００１２】
壁構造体は、室内の床面上に置かれて、直交する第１および第２の壁面を形成するものであり、第１の壁面を形成する平板状の第１の壁部材１０と、第２の壁面を形成し、この第２の壁面の奥に物品を収納する空間を有する第２の壁部材２０とを備える。図示した好ましい壁構造体は、第１の壁面と第２の壁面とを滑らかな湾曲面で連結するコーナー壁面を形成する湾曲平板状のコーナー壁部材３０とを備える。
【００１３】
好ましくは、第１の壁部材１０とコーナー壁部材３０とは、一体的な平板状部材で形成されるが、他の実施形態として、それらを別部材で構成することもあり得る。また、コーナー壁部材３０を備えずに、第１の壁部材１０と第２の壁部材２０とを直角に連結するような実施形態もあり得る。
【００１４】
第１の壁部材１０およびコーナー壁部材３０を平板状部材で形成したのは、それらの壁面に、自然物を表わす絵または写真１１を貼ることを意図したためである。自然物を表わす絵や写真１１を第１壁面およびコーナー壁面の両方を含む広い範囲で貼れば、立体的な自然環境イメージが形成され、人に安らぎを与え易くなる。絵または写真１１は、好ましくは取外し可能であり、必要に応じて、または定期的に別の絵や写真と交換される。
【００１５】
自然物の例として、林、森、山、海、木、川、野原、雲、陽射し、月、星空等を挙げることができる。
【００１６】
乳幼児の遊び空間の形成を意図する場合には、第１の壁面やコーナー壁面に、写真や絵を貼る代わりに、落書きのための紙を貼り付けるようにしてもよい。
【００１７】
好ましくは、第２の壁部材２０は、自然の環境を演出するものを作り出すユニットを収納している。図示した実施形態における第２の壁部材２０は、星空を投光する星空投光ユニット２１、水の流れる音を出す水の音発生ユニット２２、そよ風を発生するそよ風発生ユニット２３、マイナスイオンを発生するマイナスイオン発生ユニット２４、香りを発生する香り発生ユニット２５、心地良い音楽を発生するスピーカーユニット２６を備えている。各ユニットをそれぞれ第２の壁部材２０から取り出し可能に設けても良い。また、星空投光ユニット２１に関しては、第２の壁部材２０に回動可能に取付けるようにしてもよい。
【００１８】
図示した実施形態の壁構造体は、さらに、第１および第２の壁面によって形成されるコーナー空間の上部を覆う覆い部材４０と、この覆い部材４０を支持する支え部材４１とを備える。覆い部材４０に固定された支え部材４１は、好ましくは、第１の壁部材１０または第２の壁部材２０に高さ調節可能に支持される。図示した実施形態では、支え部材４１は、第２の壁部材２０に高さ調節可能に支持されている。
【００１９】
この覆い部材４０を設けることにより、第１および第２壁面によって形成されるコーナー空間の明るさを適度に調節することが可能になる。好ましくは、覆い部材４０は、取外し可能に設けられている。
【００２０】
上記のような構成の壁構造体によれば、自然物を表わす絵や写真１１と、自然の環境を演出する各種ユニット２１〜２６とによって、第１および第２壁面によって形成される空間が、効果的に人に安らぎを与える環境を作り出す。星空投光ユニット２１は、覆い部材４０の下面に星空を投影する。
【００２１】
壁構造体は、簡単に動かすことができるので、安らぎの空間を必要とする部屋に持運んで使用することができる。図３〜図５は、種々の使用状態を示している。
【００２２】
図３は、お腹に胎児を抱えた母親が、壁構造体によって作り出された安らぎの空間でくつろいでいる状態を示している。母親は、椅子５０上に座り、足をオットマン５１の上に載せている。
【００２３】
図４は、ベビーベッド６０上に寝かされた乳児が、壁構造体によって作り出された安らぎの空間内にいる状態を示している。
【００２４】
図５は、室内用の育児椅子７０上に寝かされた乳児が、壁構造体によって作り出された安らぎの空間内にいる状態を示している。
【００２５】
図１〜図６に示した実施形態では、第２の壁部材２０が、自然の環境を演出するものを作り出すユニットを収納している。一方、図７に示す他の実施形態に係る壁構造体では、椅子部材８０および机部材８１が第２の壁部材に収納されている。図７に示す状態では、椅子部材８０および机部材８１を使用形態となるように取り出している。椅子部材８０および机部材８１を使用しないときには、これらの部材は、折畳まれて第２の壁面の奥に収納される。
【００２６】
なお、第１の壁部材１０およびコーナー壁部材３０の壁面に貼られた写真や絵１１をライトアップするために、第１の壁部材１０またはコーナー壁部材３０に照明装置を取付けるようにしてもよい。照明装置の一つの例は、第１の壁部材１０またはコーナー壁部材３０の側縁近傍に沿って並べた多数の発光ダイオードである。
【００２７】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００２８】
この発明は、人に安らぎの空間を与えることのできる壁構造体として有利に利用され得る。
【図面の簡単な説明】
【００２９】
【図１】本発明の一実施形態に係る壁構造体を示す斜視図である。
【図２】各種ユニットおよび覆い部材を分離した状態を示す斜視図である。
【図３】胎児をお腹に抱えた母親がくつろいでいる状態を示す図である。
【図４】ベビーベッド上に寝かされた乳児が、安らぎの空間内に置かれている状態を示す図である。
【図５】室内用育児椅子上に寝かされた乳児が、安らぎの空間内に置かれている状態を示す図である。
【図６】壁構造体の図解的平面図である。
【図７】この発明の他の実施形態に係る壁構造体を示す斜視図である。
【符号の説明】
【００３０】
１０  第１の壁部材、１１  写真、２０  第２の壁部材、２１  星空投光ユニット、２２  水の音発生ユニット、２３  そよ風発生ユニット、２４  マイナスイオン発生ユニット、２５  香り発生ユニット、２６  スピーカーユニット、３０  コーナー壁部材、４０  覆い部材、４１  支え部材、５０  椅子、５１  オットマン、６０  ベビーベッド、７０  育児椅子、８０  椅子部材、８１  机部材。
【図１】
2008101422.tif 000003
【図２】
2008101422.tif 000004
【図３】
2008101422.tif 000005
【図４】
2008101422.tif 000006
【図５】
2008101422.tif 000007
【図６】
2008101422.tif 000008
【図７】
2008101422.tif 000009